(57)【要約】      （修正有）【課題】洋式トイレの  洗浄便器の前面部に取り付けられ、尿漏れで床や便器の周辺が汚れることを防ぐ尿漏れの防止テープを提供する。【解決手段】尿漏れ防止テープ２本体は長方形で短冊型に形成され尿漏れ防止テープ本体の縁一辺に接着糊が塗られ、尿漏れ防止テープを洗浄便座本体１の前面部に垂直に装着するところを特徴とし、これにより、便器容器と洗浄便座本体のすき間が解消され、便座のテープの方向に体を向け、腰を下ろして排泄行為を安心して行う事ができ、悪臭の原因となる、トイレの便器周辺や床などを汚すことなく清潔なトイレの使用ができる。【選択図】図４
0003195514.tif 000002
【実用新案登録請求の範囲】
【請求項１】
洋式トイレの洗浄便座本体に尿漏れ防止用のテープで衝立状にした、垂直の壁を設け、当該  洗浄便座本体の前面部に枢着した  取り外し自在な衝立状の長方形の短冊型の尿漏れ防止テープを設け、洋式トイレ便器の上部に洗浄便座本体を積み重ねて出来た  隙間から尿が便器の外に漏れ出ぬようにする長く帯状に構成された尿漏れ防止テープは丸く巻かれ、等間隔で切り離す事ができる、
ところを特徴とする、尿漏れの防止テープである
【請求項２】
前記の尿漏れ防止テープの縁一辺に接着糊が塗られおり  ロール状に巻かれた尿漏れ防止テープを拡げて、適当の長さに切り離すように小さな穴、ミシン針穴が設けられ  手でも簡単にミシン針穴から切り分けるが出来るように構成された、ロール巻きの短冊型の尿漏れ防止のテープである
【考案の詳細な説明】
【技術分野】
【０００１】本考案は、ロール状に巻かれた尿漏れ防止テープ（２）のミシン針穴（３）の切り取り線（３ａ）から切り分けた尿漏れ防止テープ（２）は、洗浄便座本体（１）の中央部に空けられた  便座穴（６）の前方内測面（Ａ）に壁になるように垂直の衝立状の短冊型の尿漏れ防止テープ（２）を設け  洗浄便座本体（１）と洋式トイレ便器（７）との隙間からの尿漏れ防止のテープに関するものである、
【背景技術】
【０００２】男性が洋式トイレを使用する時は、便器に向って、立ったまま排尿をしている事で床や便器の周辺を汚し  悪臭に悩まされた問題点があった
従来  洋式便器に取り付け自在  ロール状の尿漏れ防止テープはなかった，
【考案の開示】
【考案が解決しようとする課題】
【０００３】男性がトイレで起立時の姿勢で排尿をすると便器回りや床を汚し  不潔で悪臭の原因で家族から嫌がられ  便座に腰掛けて排泄を行う様になってきた  反面  洋式トイレ便器本体（７）に洗浄便座本体（１）を積み重ねた  すき間（８）から尿が便器の外に漏れ出る事があった  従って洗浄便座（１）の機能と尿漏れ防止テープ（２）の縁一辺に接着糊（４）が塗られた  接着糊面（４）により洗浄便座本体（１）の便座穴（６）の前方内測面（Ａ）と洋式トイレ便器（７）の前方内測面（Ｂ）の両部位を好きな用に装着部位の一方を１つ選び、尿漏れ防止テープの接着糊面（４）を容器の内側面に  尿漏れ防止テープ（２）を衝立壁のように垂直に装着して一体化することで  洋式トイレ便器（７）の上部に積み重ねられて出来た  洗浄便座本体（１）との隙間（８）を取除き、放尿による便器の周辺や床を汚すことなく  安心して  きれいな  清潔なトイレが使用できる、前述の欠点を解決しようとするものである、
【課題を解決する為の手段】
【０００４】本考案は、洗浄便座本体（１）に腰掛けて排尿された尿は手で切り取り線（３ａ）から切り離され、短冊型の防止テープは衝立のように垂直に装着している、尿漏れ防止テープ（２）壁により尿は遮断され、尿漏れ防止テープ（２）の縁一辺には、接着糊（４）が塗られ  洗浄便座本体（１）中央部に空けられた便座穴（６）の前方内測面（Ａ）と洋式トイレ便器（７）の前方内測面（Ｂ）に衝立状態の壁になるように装着する、装着する時は洋式トイレ便器（７）か洗浄便座本体（１）の好きな容器を１つ選び、隙間（４）を塞ぐように、尿漏れ防止テープ（２）の接着糊面（４）に貼り付けて装着した事で洗浄便座本体（１）と洋式トイレ便器（７）との隙間（８）が解消され、尿が便器の外に漏れ出る問題点が解決した
【考案の効果】
【０００５】本考案の尿漏れ防止テープ（２）は洗浄便座本体（１）の中央にある便座穴（６）の前方部に接着糊面（４）を貼り付けて装着して一体化されたことで放尿された、尿が尿漏れ防止テープ（２）の壁により遮断され、尿は便槽内（５）に流れて、貯まり水洗トイレの水流と共に排水口から下水処理場に流される、
適宣  素材はポリエチレン、薄い塩化ビニール、ナイロン，防水性のボール紙などを活用することで、簡単に清掃時の汚れや劣化の時には、洗浄便座本体（１）や洋式トイレ便器（７）の装着面から剥離し、新しい尿漏れ防止テープと交換や使い捨てができる、汚れても洗浄をする事もなく  いつでも清潔なトイレを使う事が出来る、比較的安価で製作ができる利点がある、
【考案の実施するための最良の形態】
【０００６】帯状でロール状に巻かれた尿漏れ防止テープ（２ａ）（２）面の縁一辺には、接着糊（４）が塗られた、丸く巻かれたロール状の尿漏れ防止テープ（２ａ）（２）を拡げて、等間隔で開けた  ミシン針穴（３）の切り取り線（３ａ）から手で短冊形に切り分けられた、尿漏れ防止テープ（２）は洗浄便座本体（１）の便座穴（６）の前方内測面（Ａ）と洋式トイレ便器（７）の前方内測面（Ｂ）のどちらか  好きな一方の部位を決め、接着糊（４）面を容器に貼り付けて装着して一体化にすることで隙間（８）が解消され、放尿された、尿は防止テープ壁（２）で遮断され便槽内（５）に流れて貯まり水洗トイレの水と共に、汚水処理場に流される  排尿時には尿漏れ防止テープ（２）の方向に体を向け  洗浄便座本体（１）に腰を下ろして排泄をする、
【実施例】
【０００７】添付図面に従って一実施例を説明する、
本考案を実施する図４は、  尿漏れ防止テープ（２）の接着糊（４）面を洗浄便座本体（１）の前方内側面（Ａ）に装着した図
【図面の簡単な説明】
【０００８】
【図１】  ロール巻き尿漏れテープを拡げ上面全開図
【図２】  尿漏れ防止テープの断面図
【図３】  ロール巻き尿漏れテープを拡げた斜視図
【図４】  洗浄便座本体の前方内測面に尿漏れ防止テープを装着した斜視図
【図５】  洋式トイレ便器の前方内測面に尿漏れ防止テープを装着した全体図
【図６】  洋式トイレ便器の上に洗浄便器本体を重ねて前方内測面に尿漏れ防止テープを装着した全体図
【図７】  洋式トイレ便器に洗浄便座本体を上面に装着し、洗浄便座本体を上げ開いた全体図
【符号の説明】
【０００９】（１）      洗浄便座本体
（２）      尿漏れ防止テープ
（３）      ミシン針穴
（３ａ）    切り取り線
（４）      接着糊
（５）      便槽内
（６）      便座穴
（７）      洋式トイレ便器
（８）      すき間
（Ａ）      便座本体前方内測面
（Ｂ）      洋式トイレ便器前方内測面
【図１】
0003195514.tif 000003
【図２】
0003195514.tif 000004
【図３】
0003195514.tif 000005
【図４】
0003195514.tif 000006
【図５】
0003195514.tif 000007
【図６】
0003195514.tif 000008
【図７】
0003195514.tif 000009
【手続補正書】
【提出日】平成26年9月1日(2014.9.1)
【手続補正１】
【補正対象書類名】実用新案登録請求の範囲
【補正対象項目名】全文
【補正方法】変更
【補正の内容】
【実用新案登録請求の範囲】
【請求項１】
本考案の尿漏れ防止テープ本体は長方形で短冊型に形成され尿漏れ防止テープ本体の縁一辺に接着糊が塗られ、尿漏れ防止テープを洗浄便器本体の前面部に垂直に装着する  ところを特徴とする尿漏れの防止テープ
【請求項２】
当該の尿漏れ防止テープは細長く構成されロール状に巻かれた尿漏れ防止テープを拡げて適当の長さに一枚、一枚、切り離すように、ミシンの針穴の様な小さな穴を設け手でも簡単にミシン針穴から等間隔で切り分けが出来るように構成しロール状の尿漏れ防止テープが小さく小分けが出来る  ところを特徴とする尿漏れの防止テープ、
【手続補正書】
【提出日】平成26年10月31日(2014.10.31)
【手続補正１】
【補正対象書類名】実用新案登録請求の範囲
【補正対象項目名】全文
【補正方法】変更
【補正の内容】
【実用新案登録請求の範囲】
【請求項１】
尿漏れ防止テープ本体は長方形で短冊型に形成され尿漏れ防止テープ本体の縁一辺に接着糊が塗られ、尿漏れ防止テープを洗浄便器本体の前面部に垂直に装着するところを特徴とする尿漏れ防止テープ
【請求項２】
請求項１に記載の尿漏れ防止テープであって、前記尿漏れ防止テープは細長く構成されロール状に巻かれた尿漏れ防止テープを拡げて適当の長さに、一枚、一枚、切り離すように、ミシンの針穴の様な小さな穴を設け、手でも簡単にミシン穴から等間隔で切り分けが出来るように構成しロール状の尿漏れ防止テープが小さく小分けが出来るところを特徴とする
尿漏れ防止テープ